(57)【特許請求の範囲】
【請求項１】
光を受光して、受光した光に関する所定の測光データを取得する光センサを搭載した光センサ搭載ユニットと連結可能な表示処理端末装置であって、
複数の表示方向のうちいずれかを画面の表示方向として表示処理を行う表示部と、
前記光センサ搭載ユニットとの連結時に前記光センサ搭載ユニットと通信可能となるインタフェース部と、
前記光センサ搭載ユニットと連結されるとき、前記光センサ搭載ユニットから取得した前記画面の表示方向に関する伝達情報に基づき、前記表示部における前記画面の表示方向を設定する連結時表示方向設定処理を実行する画面表示制御部とを備える、
表示処理端末装置。
【請求項２】
請求項１に記載の表示処理端末装置であって、
前記光センサ搭載ユニットとの連結時における前記表示部の画面の表示方向を決定する表示方向決定情報を保持する方向決定情報保持部をさらに備え、
前記伝達情報は前記光センサの種別を識別する光センサ識別情報を含み、
前記画面表示制御部は、前記表示方向決定情報の指示内容を前記光センサ識別情報に基づき決定することにより、前記連結時表示方向設定処理を実行する
表示処理端末装置。
【請求項３】
請求項１あるいは請求項２に記載の表示処理端末装置であって、
前記光センサ搭載ユニットとの連結時において、前記連結時表示方向設定処理後の前記画面の表示方向を他の表示方向に変更可能な連結時表示方向変更部、
をさらに備えることを特徴とする、
表示処理端末装置。
【請求項４】
光を受光して、受光した光に関する所定の測光データを取得する光センサを搭載し、表示処理端末装置と連結可能な光センサ搭載ユニットであって、
前記表示処理端末装置は、複数の表示方向のうちいずれかを画面の表示方向として表示処理を行う表示部と、前記光センサ搭載ユニットとの連結時において前記表示部における前記画面の表示方向を設定する連結時表示方向設定処理を実行する画面表示制御部とを有し、
前記光センサ搭載ユニットは、
前記表示部における前記画面の表示方向に関する伝達情報を前記光センサに適合した内容で保持する伝達情報保持部をさらに備え、
前記表示処理端末装置と連結されるとき、前記伝達情報を前記表示処理端末装置に伝達可能であり、前記表示処理端末装置における前記画面表示制御部は前記伝達情報に基づき前記連結時表示方向設定処理を実行する、
光センサ搭載ユニット。
【請求項５】
請求項４に記載の光センサ搭載ユニットであって、
前記光センサは、照度測定センサであり、
前記伝達情報は、
前記光センサ搭載ユニット側が前記表示部における表示画面の上方向となるように指示する表示方向直接指示情報を含む、ことを特徴とする、
光センサ搭載ユニット。
【請求項６】
請求項４に記載の光センサ搭載ユニットであって、
前記光センサは、色測定センサであり、
前記伝達情報は、
前記光センサ搭載ユニット側が前記表示部における表示画面の下方向となるように指示する表示方向直接指示情報を含むことを特徴とする、
光センサ搭載ユニット。
【請求項７】
光を受光して、受光した光に関する所定の測光データを取得する光センサを搭載した光センサ搭載ユニットと、
複数の表示方向のうちいずれかを画面の表示方向として表示処理を行う表示部と、前記光センサ搭載ユニットとの連結時に前記光センサ搭載ユニットと通信可能となるインタフェース部とを有する表示処理端末装置と、
を備える測光システムであって、
前記光センサ搭載ユニットは、
前記表示部における前記画面の表示方向に関する伝達情報を前記光センサに適合した内容で保持する伝達情報保持部をさらに備え、
前記光センサ搭載ユニットが前記表示処理端末装置と連結されるとき、前記伝達情報を前記表示処理端末装置側に伝達可能であり、
前記表示処理端末装置は、
前記伝達情報に基づき前記表示部の前記画面の表示方向を設定する連結時表示方向設定処理を実行する画面表示制御部をさらに備える、
測光システム。
【請求項８】
請求項７に記載の測光システムであって、
前記光センサは、照度測定センサであり、
前記伝達情報は、前記光センサ搭載ユニット側が前記表示部における表示画面の上方向となることを指示する表示方向直接指示情報を含む、ことを特徴とする、
測光システム。
【請求項９】
請求項７に記載の測光システムであって、
前記光センサは、色測定センサであり、
前記伝達情報は、
前記光センサ搭載ユニット側が前記表示部における表示画面の下方向となることを指示する表示方向直接指示情報を含むことを特徴とする、
測光システム。
【請求項１０】
請求項７に記載の測光システムであって、
前記光センサ搭載ユニットにおいて、前記伝達情報は前記光センサの種別を識別する光センサ識別情報を含み、
前記表示処理端末装置は、
前記光センサ搭載ユニットとの連結時における前記表示部の画面の表示方向を決定する表示方向決定情報を保持する方向決定情報保持部をさらに備え、
前記画面表示制御部は、前記表示方向決定情報の指示内容を前記光センサ識別情報に基づき決定することにより、前記連結時表示方向設定処理を実行する、
測光システム。
【請求項１１】
請求項７あるいは請求項１０記載の測光システムであって、
前記表示処理端末装置は、
前記光センサ搭載ユニットとの連結時において、前記連結時表示方向設定処理後の前記画面の表示方向を他の表示方向に変更可能な連結時表示方向変更部、
をさらに備えることを特徴とする、
測光システム。
【発明の詳細な説明】
【技術分野】
【０００１】
本発明は、照度測定センサや色測定センサ等の測光装置に関するもので、特に、測光データを表示する画面の表示方向において、使用者に好ましい視認方向や保持方向を誘導するための技術に関する。
【背景技術】
【０００２】
電子機器における画面の表示方向を変更する装置（方法）として、傾斜計を備え、傾斜計の示す角度が所定の条件を満たす場合に画面の表示方向を変更する技術が広く利用されている。例えば、特許文献１で開示する技術では、使用者の意図に応じて瞬時に画面方向を変更することが可能な携帯式電子機器が提供されている。【０００３】
一方、照明器具による光や太陽光などによる光を受光することで照度、相関色温度、演色性などを測定する光環境測定センサや、所定の角度から照明および受光をおこなうことで測定試料の色を測定する色測定センサを搭載した光センサ搭載ユニットが、携帯可能な電子機器（表示処理端末装置）と汎用インタフェースを介して接続されることで表示機能を有する測光装置として広く利用されている。
【先行技術文献】
【特許文献】
【０００４】
【特許文献１】特開２００８−１３９７１１号公報
【発明の概要】
【発明が解決しようとする課題】
【０００５】
しかしながら、上記特許文献１の技術では、表示デバイスの画面の表示方向は、自身の重力方向に対する傾斜角によって決まるため、表示デバイスに外部接続機器を取り付けた場合でも、外部接続機器の性質に関係なく、表示デバイスの使用形態（表示デバイスが保持される傾斜角度）に依存して画面の表示方向が変わる特性がある。【０００６】
このため、上記特許文献１の技術を上記光センサ搭載ユニットの表示処理端末装置として適用した場合では、上記特許文献１の技術は上記特性があるため、画面の表示方向が光センサ搭載ユニットの使用者にとって好ましくない視認方向となる場合が起こりうるという問題がある。【０００７】
本発明は、このような事情に鑑みてなされたものであり、光センサ搭載ユニットと連結して表示処理端末装置を使用する際、画面の表示方向が使用者にとって好ましい視認方向や保持方向を誘導することが可能な表示処理端末装置、光センサ搭載ユニット、及び、測光システムを提供する。
【課題を解決するための手段】
【０００８】
上記課題を解決するために、本発明の態様による表示処理端末装置は、光を受光して、受光した光に関する所定の測光データを取得する光センサを搭載した光センサ搭載ユニットと連結可能であって、複数の表示方向のうちいずれかを画面の表示方向として表示処理を行う表示部と、前記光センサ搭載ユニットとの連結時に前記光センサ搭載ユニットと通信可能となるインタフェース部と、前記光センサ搭載ユニットと連結されるとき、前記光センサ搭載ユニットから取得した前記画面の表示方向に関する伝達情報に基づき、前記表示部における前記画面の表示方向を設定する連結時表示方向設定処理を実行する画面表示制御部とを備える。【０００９】
本発明の態様による光センサ搭載ユニットは、光を受光して、受光した光に関する所定の測光データを取得する光センサを搭載し、表示処理端末装置と連結可能であって、前記表示処理端末装置は、複数の表示方向のうちいずれかを画面の表示方向として表示処理を行う表示部と、前記光センサ搭載ユニットとの連結時において前記表示部における前記画面の表示方向を設定する連結時表示方向設定処理を実行する画面表示制御部とを有し、前記光センサ搭載ユニットは、前記表示部における前記画面の表示方向に関する伝達情報を前記光センサに適合した内容で保持する伝達情報保持部をさらに備え、前記表示処理端末装置と連結されるとき、前記伝達情報を前記表示処理端末装置に伝達可能であり、前記表示処理端末装置における前記画面表示制御部は前記伝達情報に基づき前記連結時表示方向設定処理を実行する。【００１０】
本発明の態様による測光システムは、光を受光して、受光した光に関する所定の測光データを取得する光センサを搭載した光センサ搭載ユニットと、複数の表示方向のうちいずれかを画面の表示方向として表示処理を行う表示部と、前記光センサ搭載ユニットとの連結時に前記光センサ搭載ユニットと通信可能となるインタフェース部とを有する表示処理端末装置と、を備え、前記光センサ搭載ユニットは、前記表示部における前記画面の表示方向に関する伝達情報を前記光センサに適合した内容で保持する伝達情報保持部をさらに備え、前記光センサ搭載ユニットが前記表示処理端末装置と連結されるとき、前記伝達情報を前記表示処理端末装置側に伝達可能であり、前記表示処理端末装置は、前記伝達情報に基づき前記表示部の前記画面の表示方向を設定する連結時表示方向設定処理を実行する画面表示制御部をさらに備える。
【発明の効果】
【００１１】
本発明の態様による表示処理端末装置における画面表示制御部は、光センサ搭載ユニットと連結されるとき、光センサ搭載ユニットから取得した画面の表示方向に関する伝達情報に基づき、連結時表示方向設定処理を実行している。これにより、連結された光センサ搭載ユニット側が所望する方向に表示処理端末装置の表示部の画面表示方向を自動的に設定することができる。その結果、光センサ搭載ユニットと連結された表示処理端末装置を使用する際、好ましい視認方向や保持方向に対する知識を使用者が持たない状態で、使用者に好ましい視認方向や保持方向を誘導することができるため、使用者にとっての利便性が向上する。また、視認方向や保持方向を使用者に設定させるための仕組みを持つ必要がなくなり、コストダウンが図れる。さらに、使用者は、視認方向や保持方向を設定する作業が軽減されるため、さらに、利便性が向上する。【００１２】
本発明の態様による光センサ搭載ユニットは、表示処理端末装置と連結されるとき、伝達情報を表示処理端末装置に伝達可能であるため、搭載する光センサに適合した伝達情報を保持することにより、表示処理端末装置の表示部における画面の表示方向を光センサに適合した方向に設定させることが可能となる。【００１３】
本発明の態様による測光システムにおける表示処理端末装置は、光センサ搭載ユニットから伝達される伝達情報を認識し、該伝達情報に基づき連結時表示方向設定処理を実行する。これにより、光センサ搭載ユニットが搭載する光センサに適合した伝達情報を保持することにより、光センサの測光データ精度を低下させることなく、使用者にとって視認しやすい表示方向を自動的に設定することが可能となるため、測光データ精度及び使用者にとっての利便性が向上する。
【図面の簡単な説明】
【００１４】
【図１】図１は第１実施形態に係る表示処理端末装置１０及び光センサ搭載ユニット２０について説明する模式図である。
【図２】図２は第１実施形態に係る測光システム１００について説明する模式図である。
【図３】図３は従来の測光システムについて問題点を示す説明図である。
【図４】図４は第１実施形態に係る測光システム１００の基本的な機能構成例を示す図である。
【図５】図５は第１実施形態に係る測光システム１００の構成及び使用例を説明する図である。
【図６】図６は第２実施形態に係る測光システム１００Ａの基本的な機能構成例を示す図である。
【図７】図７は第２実施形態に係る測光システム１００Ａの構成及び使用例を説明する図である。
【図８】図８は第３実施形態に係る測光システム１００Ｂの基本的な機能構成例を示す図である。
【図９】図９は第４実施形態に係る測光システム１００Ｃの基本的な機能構成例を示す図である。
【図１０】図１０は第４実施形態に係る測光システム１００Ｃの使用例を説明する図である。
【図１１】図１１は第４実施形態に係る測光システム１００Ｃの変形例の機能構成例を示す図である。
【発明を実施するための形態】
【００１５】
以下、本発明の実施形態を図面に基づいて説明する。なお、図面においては同様な構成および機能を有する部分については同じ符号が付されており、下記説明では重複説明が省略される。また、図面は模式的に示されたものであり、各図における各種構造のサイズおよび位置関係等は正確に図示されたものではない。
【００１６】
また、本明細書における「測光システム」という用語は、各実施形態における表示処理端末装置及び光センサ搭載ユニットが組合され、通信可能に連結された状態の全体構成及び全体機能を総称して用いている。
【００１７】
また、後述する矢印ＡＲ１〜ＡＲ８は、矢の方向が表示部における表示画面の上方向となる画面の表示方向を意味する。
【００１８】
＜１．第１実施形態＞
＜１−１．測光システムにおける外観及び使用態様の概要＞
図１は、本発明の第１実施形態に係る表示処理端末装置及び光センサ搭載ユニットに関して説明する模式図であり、図１（ａ）及び図１（ｂ）は表示処理端末装置１０の外観を示す図であり、図１（ｃ）は光センサ搭載ユニット２０の外観を示す図である。
【００１９】
図１（ａ）及び図１（ｂ）で示されるように、表示処理端末装置１０は、複数の表示方向（例えば、図１（ａ）に示される矢印ＡＲ１や図１（ｂ）で示される矢印ＡＲ２の方向など）のうちいずれかを表示画面の上方向として表示処理を行う表示部１１と、光センサ搭載ユニット２０との連結時に光センサ搭載ユニット２０と通信可能となるインタフェース部１３（図１では不図示、後述の図４参照）とを備える。具体的に、表示処理端末装置１０としては、スマートフォン、携帯電話、ＰＤＡ、ゲーム機、パソコン等のＵＳＢ規格に準拠した汎用端末等の電子機器が考えられる。なお、表示処理端末装置１０には、各種操作用の操作ボタン１６が表示部１０付近に設けられる。
【００２０】
一方、図１（ｃ）で示されるように、光センサ搭載ユニット２０は、光を受光して、受光した光の照度に関する所定の測光データを取得する照度測定センサ（光センサ）２１を搭載し、表示処理端末装置１０のインタフェース部１３と連結可能なインタフェース部２３を備える。具体的に、光センサ搭載ユニット２０は、後述する各構成要素（後述する図４参照）が収容された箱形状のセンサ筐体部であり、例えば、光センサ搭載ユニット２０に搭載された照度測定センサ２１を有する照度測定センサユニットとして構成されている。なお、光センサ搭載ユニット２０は、一般的なスマートフォンや携帯電話の厚さを考慮し、カード型の形状（薄型形状）にしておけば、連結した時の携帯性や使い勝手がよくなる。
【００２１】
続いて、図２は、第１実施形態に係る測光システム１００について説明する模式図である。図２で示されるように、測光システム１００は、光を受光して、受光した光に関する所定の測光データを取得する照度測定センサ２１を搭載した光センサ搭載ユニット２０（図１（ｃ）参照）と、複数の表示方向のうちいずれかを表示画面の上方向として表示処理を行う表示部１１と、光センサ搭載ユニット２０との連結時に光センサ搭載ユニット２０と通信可能となるインタフェース部１３とを有する表示処理端末装置１０（図１（ａ）及び図１（ｂ）参照）とを備え、両者が組み合わされ、表示処理端末装置１０と光センサ搭載ユニット２０との間で通信可能に連結された状態で構成されている。すなわち、測光システム１００は、持ち運び可能なポータブル照度計として機能している。
【００２２】
＜１−２．表示処理端末装置の一般的性質と前提事情＞
本発明の第１実施形態に係る測光システム１００の詳細を説明する前提として、従来の表示処理端末装置の一般的性質と、それに伴って生じる事情、すなわち従来技術で生じていた事情を説明しておく。
【００２３】
汎用の表示処理端末装置に照度測定センサを取り付けることで、より安価に照度計を提供できることが知られている。図３は、従来の表示処理端末装置１０１に光センサ部位を有する光センサ搭載ユニット２０１が組合された測光装置について説明する図である。図３（ａ）及び図３（ｂ）で示されるように、照度測定を行う際には、上記光センサ部位が使用者ＵＳにより陰になると適切な測定を行うことができないため、使用者ＵＳは、表示部の各辺のうち使用者ＵＳから最も遠い辺に上記光センサ部位が位置づけられるように表示処理端末装置１０１を保持する使用態様が好ましい。
【００２４】
図３（ａ）では、使用者ＵＳが、光センサ搭載ユニット２０１が表示処理端末装置１０１に対して上側に位置するような傾斜角度にして表示処理端末装置１０１を保持している場合であり、この場合は、重力方向に対して逆方向が表示画面の上方向になり、重力方向が表示画面の下方向になるような表示方向（矢印ＡＲ３）が設定される。これは、従来の表示処理端末装置１０１では、画面の表示方向が表示処理端末装置１０１本体の傾斜角度、すなわち、表示処理端末装置１０１本体の姿勢に基づいて決定されるためである。これにより、矢印ＡＲ３の表示方向の設定は、使用者ＵＳの視認方向ＳＲ１に対して一般的で視認しやすい方向に設定されたことになる。
【００２５】
これに対して、図３（ｂ）で示されるように、使用者ＵＳが、光センサ搭載ユニット２０１が表示処理端末装置１０１に対して下側に位置するような傾斜角度にして表示処理端末装置１０１を保持する場合は、重力方向に対して逆方向が表示画面の上方向になり、重力方向が画面の下方向になるような表示方向（矢印ＡＲ４）が設定されるため、使用者ＵＳの視認方向ＳＲ２に対して矢印ＡＲ４の表示方向では一般的に視認性を損なう方向に設定されることになる。
【００２６】
このように、光センサ搭載ユニット２０１を取り付けた状態で従来の表示処理端末装置１０１を利用する場合は、光センサ搭載ユニット２０１の種別、用途に応じて適切な画面の表示方向を変更させる必要がある。
【００２７】
このような背景の下、光センサ搭載ユニットと連結された表示処理端末装置を使用する際、画面の表示方向が使用者ＵＳにとって好ましい視認方向や保持方向を誘導するようにしたのが本願発明の表示処理端末装置、光センサ搭載ユニット、及び、測光システムである。
【００２８】
以上の前提の下で、第１実施形態の基本的な機能構成と使用例とを以下に説明する。
【００２９】
＜１−３．測光システム１００の基本的な機能構成＞
図４は、本発明の第１実施形態に係る測光システム１００の基本的な機能構成例を示す図である。測光システム１００の機能構成は、以下で説明するような表示処理端末装置１０及び光センサ搭載ユニット２０が組合された構成である。
【００３０】
＜１−３−１．表示処理端末装置１０の機能構成＞
図４で示されるように、測光システム１００の表示処理端末装置１０は、表示部１１とインタフェース部１３とに加え、光センサ搭載ユニット２０と連結されるとき、インタフェース部１３を介して光センサ搭載ユニット２０から取得した画面の表示方向に関する伝達情報、すなわち画面表示方向情報として表示処理端末装置１０が参照する情報（詳細は後述する）を光センサ搭載ユニット２０から取得する。この伝達情報の取得方法としては、表示処理端末装置１０側が問合わせ信号を発信して光センサ搭載ユニット２０からの応答によって取得するようにしてもよいし、あるいは、光センサ搭載ユニット２０側から伝達情報に関する信号を表示処理端末装置１０へ送信するようにしてもよい。
【００３１】
そして、また、表示処理端末装置１０は、前記の伝達情報に基づき、表示部１１における画面の表示方向を設定する連結時表示方向設定処理を実行する画面表示制御部１２を備える。なお、表示部１１は、液晶ディスプレイ等で構成され、光センサ搭載ユニット２０から送られてきた測定データの結果を表示する。もしくは、表示処理端末装置１０のアプリケーションソフトにてデータ解析を行ない、その解析結果に応じた内容を表示してもよい。
【００３２】
このように、表示処理端末装置１０における画面表示制御部１２は、光センサ搭載ユニット２０と連結されるとき、光センサ搭載ユニット２０から取得した画面の表示方向に関する伝達情報に基づき、連結時表示方向設定処理を実行している。これにより、連結された光センサ搭載ユニット２０側が所望する方向に表示処理端末装置１０の表示部１１の画面の表示方向を自動的に設定することができる。その結果、光センサ搭載ユニット２０と連結された表示処理端末装置１０を使用する際、好ましい視認方向や保持方向に対する知識を使用者ＵＳが持たない状態で、使用者ＵＳにとって好ましい視認方向や保持方向を誘導することができるため、使用者ＵＳにとっての利便性が向上する。また、視認方向や保持方向を使用者ＵＳに設定させるための仕組みを持つ必要がなくなり、コストダウンが図れる。さらに、使用者ＵＳは、視認方向や保持方向を設定する作業が軽減されるため、さらに、利便性が向上する。
【００３３】
＜１−３−２．光センサ搭載ユニット２０の機能構成＞
一方、光センサ搭載ユニット２０は、照度測定センサ２１とインタフェース部２３とに加え、表示部１１における画面の表示方向に関する伝達情報を照度測定センサ２１に適合した内容で保持する伝達情報保持部２４をさらに備える。そして、表示処理端末装置１０と連結されるとき、表示処理端末装置１０の表示部１１における画面の表示方向に関する伝達情報を表示処理端末装置１０に伝達可能であり、表示処理端末装置１０における画面表示制御部１２は当該伝達情報に基づき連結時表示方向設定処理を実行する。
【００３４】
また、光センサ搭載ユニット２０には、インタフェース部２３と、照度測定センサ２１と、伝達情報保持部２４とを関連付けて動作させるための回路部である周辺回路部２２を有する。そして、照度測定センサ２１には、目的とする照度測定を行なうことができるフォトセンサを機能部品として備えており、インタフェース部２３が、表示処理端末装置１０のインタフェース部１３と接続可能に連結されることで、光センサ搭載ユニット２０と表示処理端末装置１０側との間で信号の通信を行なうことができる。
【００３５】
さらに、第１実施形態における光センサは、前述の通り照度測定センサ２１であるため、伝達情報保持部２４にて保持される伝達情報は、光センサ搭載ユニット２０側が表示部１１（表示処理端末装置１０）における表示画面の上方向（後述の図５の矢印ＡＲ５の方向）となることを指示する表示方向直接指示情報として設定される。
【００３６】
このように、光センサ搭載ユニット２０は、表示処理端末装置１０と連結されるとき、伝達情報（表示方向直接指示情報）を表示処理端末装置１０に伝達可能であるため、搭載する照度測定センサ２１に適合した伝達情報を保持することにより、表示処理端末装置１０の表示部１１における画面の表示方向を照度測定センサ２１に適合した方向に設定させることが可能となる。
【００３７】
また、光センサが照度測定センサ２１であれば、表示処理端末装置１０の表示部１１において光センサ搭載ユニット２０側が表示画面の上方向となるよう指示する表示方向直接指示情報を伝達情報として保持する。このため、表示処理端末装置１０に取り付けて使用する際には、図３で示される従来の表示処理端末装置１０１とは異なり、照度測定センサ２１の測定時に使用者ＵＳの陰にならないように表示部１１において照度測定センサ２１が取り付けられていない方側を保持するように誘導することが可能となる。その結果、照度測定センサ２１により測光データを精度良く得ることができる。
【００３８】
加えて、連結される表示処理端末装置１０の姿勢を変化させても、常に使用者ＵＳから見て照度測定センサ２１を搭載した光センサ搭載ユニット２０側が表示画面の上方向となるよう表示されるため、視認性を損なうこともない。
【００３９】
＜１−４．具体的使用例＞
図５は、第１実施形態に係る測光システム１００について説明する図である。図５（ａ）は、測光システム１００の全体構成を示す図であり、図５（ｂ）は、その使用例を示す図である。
【００４０】
図５（ａ）で示されるように、測光システム１００では、光センサ搭載ユニット２０に搭載されるのは照度測定センサ２１であり、使用者ＵＳから遠い辺に照度測定センサ２１が位置づけられる。この場合、光センサ搭載ユニット２０側が表示部１１における表示画面の上方向となることが望ましいため、伝達情報（表示方向直接指示情報）として、当該表示方向（矢印ＡＲ５）を直接指示する情報が設定される。そして、図５（ｂ）で示されるように、図３（ｂ）と同様に、使用者ＵＳが光センサ搭載ユニット２０側を表示処理端末装置１０に対して下方向に位置するような傾斜角度にして測定した場合においても、伝達情報（表示方向直接指示情報）に基づいた画面の表示方向に自動的に設定されるため、使用者ＵＳの視認方向ＳＲ３に対して視認しやすい方向に設定されることになる。したがって、使用者ＵＳは表示部１１の矢印ＡＲ５の方向に表示された測定データに関する数字や文字等１９（図５（ａ）参照）を容易に認識することが可能となる。
【００４１】
このように、表示処理端末装置１０本体の傾斜角度（姿勢）に依存せず、画面の表示方向は、常に光センサ搭載ユニット２０側が表示部１１における表示画面の上方向となるような方向（矢印ＡＲ５）をデフォルトとして自動的に設定される（図５参照）。
【００４２】
以上のように、第１実施形態に係る測光システム１００における表示処理端末装置１０は、光センサ搭載ユニット２０から伝達される伝達情報（表示方向直接指示情報）を認識し、該伝達情報に基づき連結時表示方向設定処理を実行する。これにより、光センサ搭載ユニット２０が搭載する照度測定センサ２１に適合した伝達情報を保持することにより、照度測定センサ２１の測光データ精度を低下させることなく、使用者ＵＳにとって視認しやすい画面の表示方向を自動的に設定することが可能となるため、測光データ精度及び使用者ＵＳにとっての利便性が向上する。
【００４３】
また、光センサ搭載ユニット２０には、照度測定センサ２１が搭載されるため、光センサ搭載ユニット２０側が表示部１１における表示画面の上方向となるように指示する表示方向直接指示情報が伝達情報として得られる。このため、照度測定センサ２１が測定時に使用者ＵＳの陰にならないように表示部１１において照度測定センサ２１が取り付けられていない方側を保持するように誘導することが可能となる。その結果、照度測定センサ２１は測光データを精度良く得ることができる。
【００４４】
加えて、測光システム１００の姿勢を変化させても、常に使用者ＵＳから見て照度測定センサ２１を搭載した光センサ搭載ユニット２０側が表示画面の上方向となるように表示されるため、視認性を損なうこともない（図５参照）。
【００４５】
なお、第１実施形態において、画面表示制御部１２は、上記連結時表示方向設定処理を実行した後は、表示処理端末装置１０と光センサ搭載ユニット２０とが連結が維持されておれば、上記連結時表示方向設定処理で設定した方向で表示部１１の画面表示方向を固定するように制御することが望ましい。
【００４６】
＜２．第２実施形態＞
＜２−１．測光システム１００Ａの基本的な機能構成＞
図６は、本発明の第２実施形態に係る測光システム１００Ａの基本的な機能構成例を示す図である。以下、図６を参照し、第２実施形態に係る測光システム１００Ａの基本的な機能構成を説明する。第２実施形態における測光システム１００Ａの概略構成及びその機能について第１実施形態と異なる点は、第１実施形態では、光センサは照度測定センサ２１として設けられていたが、第２実施形態における光センサでは色測定センサ２１Ａとして設けられるため、光センサ搭載ユニット２０Ａと表示処理端末装置１０とが色測定センサ２１Ａに適合するよう変更される点である。すなわち、色測定センサ２１Ａが照度測定センサ２１の代替として設けられ、伝達情報保持部２４に保持される伝達情報の内容が変更される。なお、残余の構成及び機能は第１実施形態の測光システム１００と同様である。
【００４７】
ここで、光センサ搭載ユニット２０Ａは、例えば、色測定センサ２１Ａを搭載する色測定センサとして構成されるため、色測定センサにおける一般的な原理および使用態様を概略的に説明する。色測定センサでは照明系と受光系とを有しており、照明系が所定の角度から測定対象物の測定面に照明を行い、該照明系からの光により該測定面で反射して得られる反射光を、受光系が所定の角度で受光することによって、該測定面の測色を行う。このため、使用者ＵＳは色測定センサを下方に向けて使用する頻度が高いと想定される（例えば、後述の図７（ｂ）参照）。
【００４８】
そこで、光センサ搭載ユニット２０Ａでは、光センサが色測定センサ２１Ａであるため、伝達情報は、光センサ搭載ユニット２０Ａ側が表示部１１（表示処理端末装置１０）における表示画面の下方向（後述の図７の矢印ＡＲ６の方向）となるように指示する表示方向直接指示情報として設定される。
【００４９】
また、表示処理端末装置１０における画面表示制御部１２では、光センサ搭載ユニット２０Ａと連結されるとき、光センサ搭載ユニット２０Ａから取得した伝達情報（表示方向直接指示情報）に基づき、表示部１１における画面の表示方向を設定する連結時表示方向設定処理を実行する。
【００５０】
このように、光センサ搭載ユニット２０Ａは、光センサが色測定センサ２１Ａを搭載しているため、表示処理端末装置１０の表示部１１において光センサ搭載ユニット２０Ａ側が表示部１１における表示画面の下方向となるように指示する表示方向直接指示情報を伝達情報として伝達情報保持部２４にて保持する。このため、表示処理端末装置１０に取り付けて使用する際、下方に向けて使用する頻度が高い色測定センサ２１Ａ側が表示画面の下方向となるように、表示処理端末装置１０の表示部１１にて表示されるため、表示処理端末装置１０に姿勢変化が生じても視認性を損なわずに画面を視認することが可能となる。
【００５１】
その結果、色測定センサを有する光センサ搭載ユニット２０Ａ側が所望する方向に、表示処理端末装置１０Ａの表示部１１における画面の表示方向を自動的に設定することができる。
【００５２】
＜２−２．具体的使用例＞
図７は、第２実施形態に係る測光システム１００Ａについて説明する図であり、図７（ａ）は、測光システム１００Ａの全体構成を示す図であり、図７（ｂ）は、その使用例を示す図である。
【００５３】
図７（ａ）で示されるように、測光システム１００Ａでは、光センサは色測定センサ２１Ａであるため、前述したように、使用者ＵＳが色測定センサ２１Ａを下方（矢印ＯＢ１）に向けて使用する場合に視認性が確保される画面の表示方向は、光センサ搭載ユニット２０Ａ側が表示部１１における表示画面の下方向となる矢印ＡＲ６の表示方向となり、伝達情報は、該表示方向（矢印ＡＲ６）を直接指示する表示方向直接指示情報として設定される。そして、図７（ｂ）で示されるように、使用者ＵＳが光センサ搭載ユニット２０Ａ側を表示処理端末装置１０Ａに対して下方向に位置するように（矢印ＯＢ１）にして測定した場合において、該伝達情報に基づいた表示方向に自動的に設定されるため、使用者ＵＳの視認方向ＳＲ４に対して視認しやすい方向に設定されることになる。したがって、使用者ＵＳは表示部１１の矢印ＡＲ６の表示方向に表示された数字や文字等１９Ａを容易に認識することが可能となる。
【００５４】
このように、光センサ搭載ユニット２０Ａの測定方向が矢印ＯＢ１の方向であるとき、表示処理端末装置１０Ａの表示部１１における画面の表示方向は、測定方向の矢印ＯＢ１と逆方向の矢印ＡＲ６の方向がデフォルトとして自動的に設定される（図７参照）。
【００５５】
以上のように、第２実施形態に係る測光システム１００Ａでは、光センサが色測定センサ２１Ａであるため、光センサ搭載ユニット２０Ａ側が表示部１１における表示画面の下方向となるように指示する表示方向直接指示情報が伝達情報として得られる。このため、下方に向けて使用する頻度が高い色測定センサ２１Ａ側が表示画面の下方向となるように表示部１１は表示処理を実行するため、姿勢変化が生じても視認性を損なわずに画面を視認することが可能となる。
【００５６】
その結果、色測定センサを有する光センサ搭載ユニット２０Ａを使用する場合に適合した方向（図７では矢印ＡＲ６の方向）に表示処理端末装置１０Ａの表示部１１における画面の表示方向を自動的に設定することができる。
【００５７】
なお、第２実施形態において、第１実施形態と同様、画面表示制御部１２は、上記連結時表示方向設定処理を実行した後は、表示処理端末装置１０Ａと光センサ搭載ユニット２０Ａとの連結が維持されておれば、上記連結時表示方向設定処理で設定した方向で表示部１１の画面の表示方向を固定する態様を採用しても良い。
【００５８】
＜３．第３実施形態＞
図８は、本発明の第３実施形態に係る測光システム１００Ｂの基本的な機能構成例を示す図である。第３実施形態における測光装置１００Ｂの機能構成について第１実施形態と異なる点は、表示処理端末装置１０Ｂに方向決定情報保持部１４（図８参照）がさらに設けられていることである。そして、光センサ搭載ユニット２０Ｂは伝達情報保持部２４に代えて、光センサ２１Ｂの種別を識別可能な光センサ識別情報を保持する伝達情報保持部２５を設けている。光センサ２１Ｂは第１実施形態のように照度測定センサ２１であっても、第２実施形態のように色測定センサ２１Ａであっても良い。なお、残余の構成及び機能は第１実施形態の測光システム１００と同様である。
【００５９】
伝達情報保持部２５において保持された伝達情報は、光センサ２１Ｂの光センサの種別（照度測定センサ、色測定センサ等）を識別する光センサ識別情報を含み、連結時においてインタフェース部２３，１３を介して、画面表示制御部１２Ｂに送信される。
【００６０】
この伝達情報の受け渡しについては、光センサ搭載ユニット２０側から伝達情報に関する信号を表示処理端末装置１０へ送信するようにしてもよいし、あるいは表示処理端末装置１０側が問合わせ信号を発信して光センサ搭載ユニット２０からの応答が送信されて、画面表示制御部１２Ｂが取得するようにしてもよい。
【００６１】
そして、画面表示制御部１２Ｂは、伝達情報（光センサ識別情報）に基づいて、表示方向決定情報の指示内容を決定し、連結時表示方向設定処理を実行する。方向決定情報保持部１４では、前記で決定された表示方向決定情報を保持する。
【００６２】
ここで、光センサ識別情報は、光センサ２１Ｂのセンサ種別が識別可能であれば如何なる情報であってもよく、例えば、数字や文字などが考えられる。
【００６３】
なお、測光システム１００Ｂにおいて、光センサ搭載ユニット２０Ｂは、上記のように第１実施形態における照度測定センサ２１を搭載した光センサ搭載ユニット２０として構成できるほか、第２実施形態における色測定センサ２１Ａを搭載した光センサ搭載ユニット２０Ａとして構成することも可能である（図８参照）。
【００６４】
以下、この点を詳述する。光センサ搭載ユニット２０Ｂが光センサ２１Ｂとして照度測定センサを搭載した場合、光センサが照度測定センサであることを示す光センサ識別情報を伝達情報として伝達情報保持部２５にて保持させる。したがって、画面表示制御部１２Ｂは、伝達情報（光センサ識別情報）に基づき光センサ搭載ユニット２０Ｂ側が表示部１１における表示画面の上方向となる表示方向となるよう指示する表示方向決定情報を決定する連結時表示方向設定処理を実行して、当該表示方向決定情報を方向決定情報保持部１４にて保持することにより、第１実施形態と同様な表示制御が行える。
【００６５】
一方、光センサ搭載ユニット２０Ｂが光センサ２１Ｂとして色測定センサを搭載した場合、光センサが色測定センサであることを示す光センサ識別情報を伝達情報として伝達情報保持部２５にて保持させる。したがって、画面表示制御部１２Ｂは、伝達情報（光センサ識別情報）に基づき光センサ搭載ユニット２０Ｂ側が表示部１１における表示画面の下方向となる表示方向となるよう指示する表示方向決定情報を決定する連結時表示方向設定処理を実行して、当該表示方向決定情報を方向決定情報保持部１４にて保持することにより、第２実施形態と同様な表示制御が行える。
【００６６】
以上のように、第３実施形態に係る測光システム１００Ｂでは、表示処理端末装置１０Ｂにおける画面表示制御部１２Ｂは、光センサ搭載ユニット２０Ｂとの連結時に表示部１１の画面の表示方向を決定するための表示方向決定情報を、伝達情報保持部２５に保持された伝達情報（光センサ識別情報）に基づき決定することにより連結時表示方向設定処理を実行している。これにより、光センサ搭載ユニット２０Ｂの有する照度測定センサ、色測定センサ等の光センサ２１Ｂの光センサ種別を考慮して、光センサ２１Ｂの測光データ精度を低下させることなく、使用者ＵＳにとって視認しやすい表示方向を自動的に設定することが可能となるため、測光データ精度及び使用者ＵＳにとっての利便性の向上を図ることができる。
【００６７】
さらに、光センサ搭載ユニット２０Ｂは伝達情報として光センサ識別情報のみを保持するようにしてもよいし、実施形態１、２に記載したような表示方向直接指示情報と組合わせて保持するようにしてもよい。
【００６８】
なお、第３実施形態において、第１実施形態と同様、画面表示制御部１２Ｂは、上記連結時表示方向設定処理を実行した後は、表示処理端末装置１０Ｂと光センサ搭載ユニット２０Ｂとが連結が維持されておれば、上記連結時表示方向設定処理で設定した方向（表示方向決定情報が指示する方向）で表示部１１の画面表示方向を固定する態様を採用しても良い。
【００６９】
＜４．第４実施形態＞
図９は、本発明の第４実施形態に係る測光システム１００Ｃの基本的な機能構成例を示す図である。第４実施形態における測光装置１００Ｃの機能構成について第３実施形態と異なる点は、表示処理端末装置１０Ｂに連結時表示方向変更部１５（図９参照）がさらに設けられる点である。なお、残余の構成及び機能は第３実施形態の測光システム１００Ｂと同様である。
【００７０】
連結時表示方向変更部１５では、光センサ搭載ユニット２０Ｂとの連結時において、前述の連結時表示方向設定処理後の画面の表示方向を他の表示方向に変更することが可能である。
【００７１】
なお、測光システム１００Ｃの表示処理端末装置１０Ｃにおいて、連結時表示方向変更部１５は、上記のように方向決定情報保持部１４を備えた第３実施形態の表示処理端末装置１０Ｂに設けて構成したが、方向決定情報保持部１４の存在しない第１（第２）実施形態の表示処理端末装置１０（１０Ａ）に設けて構成することも可能である。
【００７２】
＜４−１．具体的使用例＞
図１０は、第４実施形態に係る測光システム１００Ｃについて説明する図である。図１０（ａ）は、測光システム１００Ｃの全体構成を示す図であり、図１０（ｂ）は、その使用例を示す図である。なお、図１０の測光システム１００Ｃでは、光センサ２１Ｂとして色測定センサを搭載した光センサ搭載ユニット２０Ｂが適用される場合において説明する。
【００７３】
図１０（ａ）で示されるように、光センサ搭載ユニット２０Ｂの測定方向が矢印ＯＢ２の方向であるとき、表示処理端末装置１０の表示部１１における画面の表示方向は、測定方向の矢印ＯＢ２と逆方向の矢印ＡＲ７の方向がデフォルトとして設定される（第２実施形態及び図７参照）。しかしながら、図１０（ｂ）で示されるように、表示方向が矢印ＡＲ７の方向では使用者ＵＳの視認方向ＳＲ５に対して視認性を損なう方向となってしまう。そこで、使用者ＵＳが、例えば、表示処理端末装置１０Ｃの操作部１６を介して連結時表示方向変更部１５に指令を与えることにより、画面の表示方向を矢印ＡＲ８に変更することが可能となる。これにより、使用者ＵＳは表示部１１の表示画面において矢印ＡＲ８の表示方向に表示された数字や文字等１９Ｃを容易に認識することが可能となる。
【００７４】
このように、使用者ＵＳが、壁面を測定する際など、使用者ＵＳ自身から光センサ搭載ユニット２０Ｂを遠ざけるように保持して、対象物に押しあてて測定することが望ましい場合には、測光システム１００Ｃにおける連結時表示方向変更部１５の機能が有効となる。
【００７５】
以上のように、第４実施形態に係る測光システム１００Ｃでは、表示処理端末装置１０Ｃが、光センサ搭載ユニット２０Ｂとの連結時において、連結時表示方向設定処理後の画面の表示方向（図１０では矢印ＡＲ７）を他の表示方向（図１０では矢印ＡＲ８）に変更可能な連結時表示方向変更部１５をさらに備えるため、連結時表示方向設定処理後においても使用態様に応じて画面の表示方向を変更することができ、使用者ＵＳの所望の表示方向（図１０では矢印ＡＲ８）を実現することが可能となる。これにより、使用者ＵＳにとっての利便性がより向上する。
【００７６】
＜４−２．測光システム１００Ｃの変形例＞
図１１は、第４実施形態における測光システム１００Ｃの変形例の機能構成を説明する図である。図１１で示されるように、測光システム１００Ｃ’の機能構成について第４実施形態と異なる点は、光センサ搭載ユニット２０Ｂ’では伝達情報保持部２５が存在しない点であり、また、これに適合するように表示処理端末装置１０Ｃ’の画面表示制御部１２Ｃ’が変更される点である。
【００７７】
すなわち、伝達情報保持部２５が存在しないために、光センサ搭載ユニット２０Ｂ’から伝達情報が表示処理端末装置１０Ｃ’に伝達されない。そこで、測光システム１００Ｃ’では、画面表示制御部１２Ｃ’が、光センサ搭載ユニット２０Ｂ’との連結時において予め定められた表示方向を指示する表示方向決定情報を設定する等により、表示部１１の画面の表示方向を判定し決定する。すなわち、画面表示制御部１２Ｃ’は、連結される光センサ搭載ユニット２０Ｂ’に依存することなく、表示方向決定情報の指示内容を自ら決定し、保持することにより、連結時表示方向設定処理を実行する。
【００７８】
このように、測光システム１００Ｃ’では、光センサ搭載ユニット２０Ｂ’に搭載された光センサ２１Ｂの光センサの種別に応じた伝達情報が表示処理端末装置１０Ｃ’に伝達されなくとも、表示処理端末装置１０Ｃ’側で表示方向を決定し設定する。
【００７９】
また、決定された画面の表示方向が使用者ＵＳの所望の表示方向とは異なる場合においては、前述の通り、操作部１６を用いて連結時表示方向変更部１５に指令を与えることにより、使用者ＵＳの所望の表示方向に変更することが可能となる。
【００８０】
なお、測光システム１００Ｃ’の光センサ搭載ユニット２０Ｂ’に搭載した光センサ２１Ｂは、照度測定センサまたは色測定センサのいずれであっても構わない（図１１参照）。
【００８１】
＜５．変形例＞
以上、本発明の実施形態について説明してきたが、本発明は、上記実施形態に限定されるものではなく、様々な変形が可能である。
【００８２】
※  本実施形態では、測光システム１００，１００Ａ〜１００Ｃ，１００Ｃ’を個別に実施されるように各実施形態に分けて記載したが、これらの個別機能は、互いに矛盾しない限り、相互に組み合わせてもよい。
【００８３】
※  本実施形態に係る光センサ搭載ユニットは、目的とする光強度測定を機能に加え、汎用端未の備える機能（表示装置、スピーカー、プリンタ、外部送信機能（電話、ＬＡＮ、Ｉｎｔｅｒｎｅｔ網との接続）を組み合わせた使用も可能である。
【符号の説明】
【００８４】
１０，１０Ｂ，１０Ｃ，１０Ｃ’表示処理端末装置
１１  表示部
１２，１２Ｂ，１２Ｃ’  画面表示制御部
１３，２３  インタフェース部
１４  方向決定情報保持部
１５  連結時表示方向変更部
２０，２０Ａ，２０Ｂ，２０Ｂ’光センサ部搭載ユニット
２１，２１Ｂ  照度測定センサ
２１Ａ  色測定センサ
２４，２５  伝達情報保持部
１００，１００Ａ〜１００Ｃ，１００Ｃ’  測光システム
【要約】
測光システム（１００）において、光センサ搭載ユニット（２０）は、表示部（１１）における画面の表示方向に関する伝達情報を光センサ（２１）に適合した内容で保持する伝達情報保持部（２４）を備え、光センサ搭載ユニット（２０）が表示処理端末装置（１０）と連結されるとき、該伝達情報を表示処理端末装置（１０）側に伝達可能であり、表示処理端末装置（１０）は、該伝達情報に基づき表示部１１の画面の表示方向を設定する連結時表示方向設定処理を実行する画面表示制御部（１２）を備える。これにより、光センサ搭載ユニットと連結された表示処理端末装置を使用する際、画面の表示方向が使用者にとって好ましい視認方向や保持方向を誘導することが可能な表示処理端末装置、光センサ搭載ユニット、及び、測光システムを提供することが可能となる。【図１】
0005440746.tif 000002
【図２】
0005440746.tif 000003
【図３】
0005440746.tif 000004
【図４】
0005440746.tif 000005
【図５】
0005440746.tif 000006
【図６】
0005440746.tif 000007
【図７】
0005440746.tif 000008
【図８】
0005440746.tif 000009
【図９】
0005440746.tif 000010
【図１０】
0005440746.tif 000011
【図１１】
0005440746.tif 000012